(57)【要約】【課題】案内板を開閉しなくても、詰まったシートを取り除けるようにする。【解決手段】画像形成装置は、装置本体と、装置本体の内部に設けられて、搬送されるシートを案内する１対の案内板７１，７２を有するエスケープ搬送路Ｐ４と、装置本体に形成されて、１対の案内板のシート搬送方向に沿った側端部に対向する開口部と、装置本体に設けられて、開口部を開閉する扉と、を備え、１対の案内板の側端部の、開口部に対向する部分に切欠き７３，７４が形成されている。【選択図】図６
2015082061.tif 000002
【特許請求の範囲】
【請求項１】
装置本体と、
前記装置本体の内部に設けられて、搬送されるシートを案内する１対の案内板を有する搬送路と、
前記装置本体に形成されて、１対の前記案内板のシート搬送方向に沿った側端部に対向する開口部と、
前記装置本体に設けられて、前記開口部を開閉する扉と、を備え、
１対の前記案内板の側端部の、前記開口部に対向する部分に切欠きが形成されている、
ことを特徴とする画像形成装置。
【請求項２】
前記切欠きは、最も切り込み量が多い部分よりも前記シート搬送方向の下流側の縁が、前記シート搬送方向に対して傾斜して形成されている、
ことを特徴とする請求項１に記載の画像形成装置。
【発明の詳細な説明】
【技術分野】
【０００１】
本発明は、シートに画像を形成する複写機、プリンタ等の画像形成装置に関する。
【背景技術】
【０００２】
従来、画像形成装置は、シートを案内するシート搬送路を備えているが、１対の案内板によって形成されたシート搬送路にシートが詰まることがある。シートがシート搬送路に詰まった場合、案内板を開いて詰まったシートを取り除けるようになっている画像形成装置がある（特許文献１）。
【先行技術文献】
【特許文献】
【０００３】
【特許文献１】特許第４５６４３７７号公報
【発明の概要】
【発明が解決しようとする課題】
【０００４】
しかし、従来の画像形成装置は、案内板を開閉するための空間が必要である。このため、その空間が狭い場合、案内板を十分に開くことができないで、詰まったシートを取り除くことが困難であるという問題があった。
【０００５】
本発明は、案内板を開閉しなくても、詰まったシートを取り除ける画像形成装置を提供することにある。
【課題を解決するための手段】
【０００６】
本発明の画像形成装置は、装置本体と、前記装置本体の内部に設けられて、搬送されるシートを案内する１対の案内板を有する搬送路と、前記装置本体に形成されて、１対の前記案内板のシート搬送方向に沿った側端部に対向する開口部と、前記装置本体に設けられて、前記開口部を開閉する扉と、を備え、１対の前記案内板の側端部の、前記開口部に対向する部分に切欠きが形成されている、ことを特徴としている。
【発明の効果】
【０００７】
本発明の画像形成装置は、指先を切欠きによって搬送路内に進入させ、指先でシートを摘まんで、詰まったシートを除去することができるので、従来と異なって案内板を開閉する必要が無く、案内板を開閉する空間を確保する必要が無いという効果を奏する。
【図面の簡単な説明】
【０００８】
【図１】画像形成装置のシート搬送方向に沿った断面概略図である。
【図２】シート処理装置のシート搬送方向に沿った断面概略図である。
【図３】シート処理装置の前カバーを開いたときの、シート処理装置の斜視図である。
【図４】図３において、端部綴じ搬送路の上板を開いたときの、シート処理装置の斜視図である。
【図５】エスケープ搬送路の切欠きを示す図である。
【図６】エスケープ搬送路の切欠きを示す概略図である。
【図７】図６の切欠きを矢印Ｘ方向から見た図である。
【図８】他の形状の切欠きを示す図である。
【発明を実施するための形態】
【０００９】
以下、本発明の実施形態のシート搬送装置を図に基づいて説明する。図１は、画像形成装置のシート搬送方向に沿った断面概略図である。図２は、シート処理装置のシート搬送方向に沿った断面概略図である。画像形成装置１００は、画像形成装置の装置本体１００Ａと、装置本体１００Ａに接続されたシート処理装置２００等で構成されている。シート処理装置２００は、装置本体１００Ａと別体に形成されているが、装置本体１００Ａと一体であってもよい。
【００１０】
画像形成装置１００は、シートを給紙部１から画像形成部２に送り、画像形成部２でシートにトナー画像を形成した後、そのシートを排紙口３からシート処理装置２００の搬入口２３ａに送り込むようになっている。給紙部１は、サイズに応じてシートを収納した給紙カセット１ａ，１ｂから、指定されたシートを１枚ずつ分離して画像形成部２に給送する。画像形成部２は、感光ドラム４と、その周囲に配置された印字ヘッド（レーザ発光器）５と現像器６と、転写チャージャ７等で構成されている。
【００１１】
画像形成部２は、レーザ発光器５によって静電潜像を形成された感光ドラム４に、現像器６でトナーを付着させて、トナー画像を形成し、そのトナー画像を転写チャージャ７でシート転写するようになっている。トナー画像を形成されたシートは、定着器８で加熱加圧されて、トナー画像を定着される。トナー画像を形成されたシートは、排紙口３からシート処理装置２００の搬入口２３ａに送り込まれる。
【００１２】
シートの両面にトナー画像を形成する場合、一方の面にトナー画像を形成されたシートは、スイッチバック搬送路１０で表裏反転されて、循環搬送路９を経て、再度、画像形成部２に搬送される。そして、そのシートは、他方の面にもトナー画像を形成されてから、シート処理装置２００に送り込まれる。
【００１３】
画像読取装置１１は、ユーザによって固定読み用のプラテンガラス１２Ａ上にセットされた原稿を、スキャンユニット１３によって走査し、図示しない光電変換素子で電気的に読み取るようになっている。この読み取り方を一般に固定読みと称している。読み取られた画像のデータは、画像処理部で例えばデジタル処理された後、データ記憶部１４に転送されて、レーザ発光器５で感光ドラム４の表面に潜像として、描かれる。その潜像は、現像器６によってトナー現像され、トナー画像として可視像化される。
【００１４】
また、画像読取装置１１は、スタックトレイ１６に積層された原稿Ｄを原稿送り装置１５で、停止しているスキャンユニット１３上の流し読み用のプラテンガラス１２Ｂ上に送り込み、スキャンユニット１３によって、原稿を読み取ることもできる。この読み取り方を一般に流し読みと称している。
【００１５】
このように、画像読取装置１１は、固定読みと流し読みとのいずれかによって、原稿を読み取るようになっている。なお、装置本体１００Ａは、後述するように、外部のネットワークから転送されてきた画像データをデータ貯蔵部１７に蓄積して、シートに画像を形成することもできるので、画像読取装置１１は、必ずしも設ける必要がない。
【００１６】
画像形成装置１００には、コントロールパネル１８が設けられている。コントロールパネル１８には、ユーザによって、画像形成条件としての、例えば、シートサイズ指定、カラー・モノクロ印刷指定、プリント部数指定、片面・両面印刷指定、拡大・縮小印刷指定などの条件が入力されるようになっている。したがって、画像形成装置１００は、コントロールパネル１８に入力された画像形成条件に基づいて不図示の制御部（コントローラ）の制御によって、作動するようになっている。
【００１７】
スキャンユニット１３で読み取った画像データ、或いは外部のネットワークから転送された画像データは、データ貯蔵部１７に一旦蓄積され、その後、データ貯蔵部１７からバッファメモリ１９に転送される。そして、バッファメモリ１９から、順次、レーザ発光器５に画像データ信号が移送され、レーザ発光器５が感光ドラム４に画像データに応じた潜像を形成する。
【００１８】
シート処理装置２００は、画像形成装置１００の排紙口３から送り出された画像形成済みのシートを搬入口２３ａで受け入れて、そのシートをそのままスタックトレイ２１に排出するようになっている。また、シート処理装置２００は、搬入口２３ａで受け入れた画像形成済みのシートを束状にして端部綴じ処理部ＢＸ１で端部綴じてからスタックトレイ２１に排出するようになっている。さらに、シート処理装置２００は、シートを、冊子製本処理部ＢＸ２で冊子状に製本して、サドルトレイ２２に排出するようになっている。
【００１９】
処理装置２００のケーシング（外装カバー）２０には、搬入口２３ａが形成されている。この搬入口２３ａは、画像形成装置１００の排紙口３に対向している。そして、ケーシング２０内には、搬入口２３ａからのシートを束状に集積してシート束の端部を綴じる端部綴じ処理部ＢＸ１が設けられている。また、ケーシング２０内には、搬入口２３ａからのシートを束状に集積してシート束の中央を綴じて折り曲げて、シート束を冊子状にする冊子製本処理部ＢＸ２も設けられている。
【００２０】
搬入口２３ａには、搬入ローラ２３と、切替部材２４ａと、シートセンサＳ１とが設けられている。また、搬入口２３ａは、搬入搬送路Ｐ５と、製本綴じ搬送路Ｐ２との入口でもある。切替部材２４ａは、搬入口２３ａで受け取られたシートを搬入搬送路Ｐ５と製本綴じ搬送路Ｐ２とに選択的に案内するようになっている。製本綴じ搬送路Ｐ２は、冊子製本処理部ＢＸ２にシートを案内するようになっている。搬入搬送路Ｐ５の途中には、シートに孔をあけるパンチユニット６０が設けられている。
【００２１】
搬入搬送路Ｐ５の下流端部は、端部綴じ搬送路Ｐ１と、バッファ搬送路Ｐ３と、エスケープ搬送路Ｐ４とに分岐される分岐点ＢＰになっている。分岐点ＢＰには、搬入搬送路Ｐ５を搬送されてきたシートを、端部綴じ搬送路Ｐ１と、バッファ搬送路Ｐ３と、エスケープ搬送路Ｐ４とのいずれかを選択して案内する切替部材２４ｂが設けられている。分岐点ＢＰでは、シートが矢印の方向へ移動するようになっている。
【００２２】
端部綴じ搬送路Ｐ１は、シートを端部綴じ処理部ＢＸ１に案内するようになっている。
【００２３】
バッファ搬送路Ｐ３は、端部綴じ処理部ＢＸ１の処理トレイ２９上に部揃えしたシート束の端部を端部綴じ処理部ＢＸ１の端部綴じステープラ３０が綴じている間に、シート搬入口２３ａに送り込まれてくる後続のシートを一時的に滞留するための搬送路である。このため、バッファ搬送路Ｐ３は、図１、図２に示すようにケーシング２０の鉛直方向に延びており、端部綴じ搬送路Ｐ１からのシートをスイッチバックさせて滞留するようになっている。
【００２４】
エスケープ搬送路Ｐ４は、搬入搬送路Ｐ５を搬送されてきて処理を必要としないシートを、切替部材（フラッパ部材）２４ｂの切換えによって、エスケープトレイ２８に案内するようになっている。
【００２５】
シート処理装置２００は、搬入搬送路Ｐ５からエスケープ搬送路Ｐ４に分岐される分岐点ＢＰ近くのエスケープ搬送路Ｐ４にシートが詰まったとき、そのシートを容易に除去できるようになっている。以下、その構成を図６、図７、図８に基づいて説明をする。なお、図７、図８において、括弧内の符号は、符号７２で示す案内板に形成されている部分である。
【００２６】
搬送路としてのエスケープ搬送路Ｐ４は、１対の案内板７１，７２を有している。１対の案内板７１，７２は、装置本体としてのケーシング２０の内部に設けられて、搬入ローラ２３によって搬送されるシートをエスケープトレイ２８（図１）に案内するようになっている。ケーシング２０の、１対の案内板７１，７２のシート搬送方向に沿った側端部７１ａ，７２ａや、端部綴じ搬送路Ｐ１の側端部に対向する部分に開口部５６（図３乃至図５）が形成されている。そして、ケーシング２０の手前側には、開口部５６を開閉する前カバー（扉）５４が開閉自在に設けられている。
【００２７】
そして、１対の案内板７１，７２の側端部７１ａ，７２ａの、開口部５６に対向する部分に切欠き７３，７４が形成されている。切欠き７３，７４は、直角三角形に形成されている。
【００２８】
以上の構成において、端部綴じ搬送路Ｐ１、バッファ搬送路Ｐ３、エスケープ搬送路Ｐ４にシートが詰まった場合、前カバー５４を開いて、開口部５６を通じて、各搬送路のシート搬送方向に沿った側端部が見えるようにする。
【００２９】
端部綴じ搬送路Ｐ１にシートが詰まった場合、図２、図３、図４に示す上板５５を上方に回転させると、端部綴じ搬送路Ｐ１を開いてシートを取り除くことができる。上板５５は、端部綴じ搬送路Ｐ１とエスケープ搬送路Ｐ４との間の空間ＡＲ（図２）を利用して開閉できるようになっている。
【００３０】
エスケープ搬送路Ｐ４にシートが詰まった場合、案内板７１，７２に形成された切欠き７３に指先を挿入してエスケープ搬送路Ｐ４内に進入させ、指先でシートを摘まんで、詰まったシートを除去することができる。このように、案内板７１，７２に形成された切欠き７３を形成すると、従来と異なって案内板７１，７２を開閉する必要が無く、案内板を開閉する空間を確保する必要が無い。このため、シート処理装置２００の構造を簡単にすることができる。
【００３１】
また、切欠き７３，７４は、図７（Ａ）に示すように、直角三角形に形成されている。直角三角形の切欠き７３，７４は、底辺に相当する縁７３ａ，７４ａが上流側に、傾斜面に相当する縁７３ｂ，７４ｂが下流側に位置している。このように形成されていると、シートがシート搬送方向Ｙ方向に搬送される途中において、シートのサイズによっては、シートの先端角Ｓａが切欠き７３、又は切欠き７４に入り込むことがある。しかし、シートの先端角Ｓａは、搬送させられるのに従って、斜辺に相当する縁７３ｂ、７４ｂによって、掬い上げられるため、切欠き７３，７４に引っ掛かることがなく、エスケープ搬送路Ｐ４に詰まることが防止される。
【００３２】
また、切欠きは、図８（Ａ）に示す切欠き２７３，２７４のように、２片２７３ａ，２７３ｂ，２７４ａ，２７４ｂがシート搬送方向Ｙに対して斜め交差する三角形であってもよい。さらに、切欠きは、図８（Ｂ）に示す切欠き３７３，３７４のように、円弧状であってもよい。これらの切欠き２７３，２７４，３７３，３７４も、傾斜している下流側の縁２７３ｂ，２７４ｂ，３７３ｂ，３７４ｂで、シートの先端角Ｓａを掬い上げて、エスケープ搬送路Ｐ４にシートが詰まるのを防止している。
【００３３】
なお、切欠きは、図７（Ｂ）に示す切欠き１７３，１７４のように、底辺に相当する縁１７３ａ，１７４ａが下流側に、斜辺に相当する縁１７３ｂ，１７４ｂが上流側に位置している直角三角であってもよい。但し、この切欠き１７３，１７４の場合、シートの先端角Ｓａを掬い上げられる確率が、図７（Ａ）の切欠き７３，７４より劣る。
【００３４】
したがって、切欠きとしては、図７（Ａ）、図８（Ａ），（Ｂ）に示す形状の切欠き７３，７４，２７３，２７４，３７３，３７４が好ましい。すなわち、各切欠きの、最も切り込み量が多い部分７３ｃ，７４ｃ，２７３ｃ，２７４ｃ，３７３ｃ，３７４ｃよりも下流側の縁７３ｂ，７４ｂ，２７３ｂ，２７４ｂ，３７３ｂ，３７４ｂが、シート搬送方向Ｙに対して傾斜して形成されていることが好ましい。
【００３５】
以上説明した切欠きは、端部綴じ搬送路Ｐ１、バッファ搬送路Ｐ３、その他のシートを案内する搬送路に設けても、同様な効果を奏するものであって、エスケープ搬送路Ｐ４のみに設けられるものではない。
【符号の説明】
【００３６】
２０：ケーシング（装置本体）、７１，７２：１対の案内板、７１ａ，７２ａ：１対の案内板の縁（側端部）、７３，７４，２７３，２７４，３７３，３７４：切欠き、７３ｃ，７４ｃ，２７３ｃ，２７４ｃ，３７３ｃ，３７４ｃ：最も切り込み量が多い部分、７３ｂ，７４ｂ，２７３ｂ，２７４ｂ，３７３ｂ，３７４ｂ：下流側の縁、５０：前カバー（扉）、Ｐ４：エスケープ搬送路（搬送路）、５６：開口部、１００：画像形成装置、１００Ａ：画像形成装置の装置本体、２００：シート処理装置、Ｓ：シート、Ｙ：シート搬送方向。
【図１】
2015082061.tif 000003
【図２】
2015082061.tif 000004
【図３】
2015082061.tif 000005
【図４】
2015082061.tif 000006
【図５】
2015082061.tif 000007
【図６】
2015082061.tif 000008
【図７】
2015082061.tif 000009
【図８】
2015082061.tif 000010